(57)【要約】      （修正有）【課題】視認性に優れた表示灯を有する光電式煙感知器を得る。【解決手段】光電式分離型感知器は、少なくとも警報状態を表示する表示灯７を有し、表示灯７は、発光素子２１と、発光素子２１の発光を受光して、受光した光を外部に向けてガイドするライトガイド部２３とを備え、ライトガイド部２３の先端部は、先端下部側に形成された凹陥する曲面部と、先端上部側に形成された先端側に向けて下方に傾斜する傾斜面部とを備えてなる。【選択図】図１
2015026165.tif 000002
【特許請求の範囲】
【請求項１】
送光器と受光器を有し、監視空間を介して前記送光器から投光される光の減衰を前記受光器が検出して煙を感知する光電式煙感知器であって、
少なくとも警報状態を表示する表示灯を有し、
該表示灯は、発光素子と、該発光素子の発光を受光して受光した光を外部に向けてガイドするライトガイド部とを備え、
該ライトガイド部の先端部は、先端下部側に形成された凹陥する曲面部と、先端上部側に形成された先端側に向けて下方に傾斜する傾斜面部とを備えてなることを特徴とする光電式煙感知器。
【請求項２】
樹脂製のＰＣ板カバーを有し、前記ライトガイド部が前記ＰＣ板カバーに一体成形されていることを特徴とする請求項１記載の光電式煙感知器。
【発明の詳細な説明】
【技術分野】
【０００１】
本発明は、送光器と受光器を有し、前記送光器から投光される光の減衰を前記受光器が検出して煙を感知する光電式煙感知器に関する。
【背景技術】
【０００２】
光電式煙感知器の一例としての光電式分離型感知器は、発光素子を収容した送光器と、受光素子を収容した受光器とを高所（通常、地上１０〜１５ｍ）において通常５〜１００ｍの監視距離を隔てて対向配置して送光器と受光器の間に、煙が存在することによる光の減衰を感知することで、火災を検知するものである。
高所に設置される光電式分離型感知器は、光軸調整や監視状態における送光器及び受光器の作動状態を鉛直方向や水平方向に離れた位置から確認する必要があり、そのため、送光器と受光器にはこれらの機器の作動状態に応じて点灯色が変わったり、点滅状態が変わったりする表示灯が設けられている。
このような目的で設けられている表示灯は、光軸調整に使用する際には作業者が水平方向から視認できる必要があり、また、監視状態では少なくとも下方から視認できる必要がある。
【０００３】
水平方向及び下方からの視認性を向上させた表示灯として、例えば特許文献１の「表示灯の視認構造」がある。
特許文献１の「表示灯の視認構造」においては、表示灯は、可視発光ダイオードの前方に分光器を配置して、水平方向と鉛直下方へ光をガイドするようにしている。
【先行技術文献】
【特許文献】
【０００４】
【特許文献１】特許第２８９５７５２号公報
【発明の概要】
【発明が解決しようとする課題】
【０００５】
上記のように、表示灯は少なくとも水平方向と鉛直方向から視認できる必要があり、特許文献１のものでは、可視発光ダイオードの光を水平前方と鉛直下方へガイドしているため、この最低限の要求は満たすが、その視認できる範囲が極めて狭いという問題がある。
そのため、監視状態では、確認する人が送光器や受光器の真下に行かないと確認できなかったり、光軸調整時には、調整する作業者が送光器や受光器の表示灯の正面に位置しないと確認できず、作業を円滑にすることができないという問題もある。
さらに、送光器や受光器は、必ずしも直立状態で設置されるとは限らず、傾斜状態で設置することも考えられる。傾斜状態で設置された場合には、直立状態において表示灯の点灯の確認が、水平方向と鉛直下方に限定されていると、表示灯の点灯を確認できないことも生じ、それ故に傾斜状態での設置ができず、設置姿勢が限られてしまうという問題がある。
【０００６】
本発明はかかる課題を解決するためになされたものであり、表示灯の視認性に優れ、送光器や受光器の設置姿勢に多様性のある光電式煙感知器を得ることを目的としている。
【課題を解決するための手段】
【０００７】
（１）本発明に係る光電式煙感知器は、送光器と受光器を有し、監視空間を介して前記送光器から投光される光の減衰を前記受光器が検出して煙を感知する光電式煙感知器であって、
少なくとも警報状態を表示する表示灯を有し、
該表示灯は、発光素子と、該発光素子の発光を受光して受光した光を外部に向けてガイドするライトガイド部とを備え、
該ライトガイド部の先端部は、先端下部側に形成された凹陥する曲面部と、先端上部側に形成された先端側に向けて下方に傾斜する傾斜面部とを備えてなることを特徴とするものである。
【０００８】
（２）また、上記（１）に記載のものにおいて、樹脂製のＰＣ板カバーを有し、前記ライトガイド部が前記ＰＣ板カバーに一体成形されていることを特徴とするものである。
【発明の効果】
【０００９】
本発明においては、ライトガイド部の先端部は、先端下部側に形成された凹陥する曲面部を備えているので、先端の下部側に到達した光は、曲面部で水平方向に広がりながら発光される。
また、ライトガイド部の先端部は、先端上部側に形成された先端側に向けて下方に傾斜する傾斜面部を備えているので、先端の上部側に到達した光は、傾斜面によって下方に反射され、反射された光は曲面部で下方に広がりながら出光される。
このように、水平方向及び下方の両方に広がりながら出光されるため、光軸調整時及び監視時のいずれにおいても高い視認性を得ることができる。
【図面の簡単な説明】
【００１０】
【図１】本発明の一実施の形態に係る光電式分離型感知器の送光器の内部構造の説明図である。
【図２】本発明の一実施の形態に係る光電式分離型感知器の設置状態の説明図である。
【図３】本発明の一実施の形態に係る光電式分離型感知器の送光器の正面図である。
【図４】本発明の一実施の形態に係る光電式分離型感知器の送光器におけるＰＣ板カバーの斜視図である。
【図５】本発明の一実施の形態に係る光電式分離型感知器の送光器における表示灯のライトガイド部の説明図である。
【図６】本発明の一実施の形態に係る光電式分離型感知器の送光器における表示灯のライトガイド部の縦断面図である。
【図７】本発明の一実施の形態に係る光電式分離型感知器の送光器における表示灯の効果の説明図である（その１）。
【図８】本発明の一実施の形態に係る光電式分離型感知器の送光器における表示灯の効果の説明図である（その２）。
【発明を実施するための形態】
【００１１】
本発明の一実施の形態に係る光電式分離型感知器１（光電式煙感知器の一例）は、図２に示すように、送光器３と受光器５を有し、これらを分離して設置される光電式分離型感知器１であって、図１に示すように、少なくとも警報状態を表示する表示灯７を備えており、この表示灯７に本発明の特徴がある。
以下に、光電式分離型感知器１の送光器３（受光器５）の表示灯７及びその他の構成について説明する。
【００１２】
光電式分離型感知器１は、送光器３と受光器５とを監視空間内における高所（通常地上１０〜１５ｍ）に所定の監視距離（通常５〜１００ｍ）離して対向設置される。送光器３と受光器５は互いの光軸Ｌが（図２参照）一致するように光軸調整されており、送光器３から投光される赤外線光を受光器５が受光可能になっている。受光器５は受光量を監視しており、送光器３と受光器５の間に煙が存在する場合、煙が存在することによる光の減衰を検出することで、煙を感知する。
なお、送光器３と受光器５では、投光及び受光に関するもの以外、ほとんど同一の構成であるので、以下の説明では送光器３を例に挙げて説明する。
【００１３】
図１は、送光器３の内部構造を示している。
送光器３は、図１に示すように、表示灯７と、ＰＣ板（プリント基板）等を収容するＰＣ板カバー９と、ＰＣ板カバー９の上方に、水平方向及び垂直方向（図１中の太矢印参照）に回動可能に設けられた光学台１１と、光学台１１の水平方向の回動角を調整するための水平角調整用雄ネジ１５と、光学台１１の垂直方向の回動角を調整するための垂直角調整用雄ネジ１７と、これらを覆うカバー体１９（図３参照）とを有している。
【００１４】
＜ＰＣ板カバー＞
ＰＣ板カバー９は、図４に示すように、扁平した有底枠体からなり、透光性を有する樹脂で構成される。
ＰＣ板カバー９の内部には電装品を搭載した図示しないＰＣ板が収容され、該ＰＣ板には表示灯を構成する後述の発光素子２１が搭載されている。
【００１５】
＜表示灯＞
表示灯７は、図１に示すように、発光素子２１とライトガイド部２３とを備えており、監視時において自己の監視状態を知らせるために用いられる。例えば、常時は表示灯７を緑色に点滅させて監視状態である旨を知らせ、煙を検出した際に赤又は黄に点灯させることで警報状態や異常状態である旨を知らせる。
【００１６】
発光素子２１は、ＰＣ板カバー９内に収納されるＰＣ板に取り付けられ、発光の向きがライトガイド部２３に向かうように配置されている。
ライトガイド部２３は、ＰＣ板カバー９内部の発光素子２１の発光を受光して受光した光を外部に向けてガイドするためのものである。ライトガイド部２３は、図１及び図４に示すようにＰＣ板カバー９の壁面から外方に突出する凸片からなり、ＰＣ板カバー９に一体成形されている。このように、ライトガイド部２３をＰＣ板カバー９に一体成形することにより、部品点数を少なくできると共に、組立コストを低減することができる。
【００１７】
本発明の特徴の一つとして、ライトガイド部２３の形状が挙げられるので、この点について図５〜図８に基づいて詳細に説明する。
図５は、図４の点線の枠で囲んだ部分を拡大した図、図６は図５の一部断面図である。図７、図８は表示灯の効果を説明する図であり、図７は表示灯７を平面視した図であり、図８は表示灯７を側面視した図である。なお、図７及び図８において、発光素子２１からの光を点線の矢印で示している。
【００１８】
ライトガイド部２３は略円筒形の先端側の一部を切除した形状であり、その先端部は、図５に示すように、先端下部側に形成された略四半球形に凹陥する曲面部２３ａと、ライトガイド部上部側に形成され、基端部から先端部（曲面部２３ａ）まで、先端側に向かうに従って下方に傾斜する（図６参照）傾斜面部２３ｂとを備えている。即ち、傾斜面部２３ｂは、ライトガイド部２３の上部側で、基端部側から先端部にかけて形成され、傾斜面部２３ｂと曲面部２３ｂとは連続して形成される。また、傾斜面部２３ｂは、先端部側で曲面部２３ａと連続しており、略三日月形状を呈している。
ライトガイド部２３に入光して先端の下部側に到達した光は、図７に示すように、曲面部２３ａによって屈折して拡散されるため、送光器３の水平方向正面はもとより水平方向左右及び、斜め下方からでも表示灯７の光を視認することができる。
また、先端の上部側に到達した光は、図８に示すように、傾斜面部２３ｂに当たって下方に反射され、さらに曲面部２３ａによって広がりながら下方に出光されるため、下方からの視認性に優れている。
【００１９】
＜光学台＞
光学台１１は、図１に示すように、概形が扁平円筒状からなり、内部には、送光用発光素子１１ａ（受光器５の場合は受光素子１３、図２参照）が収容されている。
光学台１１の前面には送光用発光素子１１ａの光を遠方に届けるため（受光器５の場合は、受光素子１３に光を集めるため）のレンズ１１ｂが装着されている。
【００２０】
＜カバー体＞
カバー体１９は、図３に示すように、深底の有底枠体からなる。前面の上部は窓部１９ａになっており、内部の送光用発光素子１１ａから投光可能になっている。
窓部１９ａの下方には、表示灯７のライトガイド部２３を挿通して外部に露出させるためのライトガイド部挿通孔１９ｂが設けられている。
【００２１】
以上のように構成された本実施の形態に係る光電式分離型感知器１の監視時の一例を、表示灯７の作用効果に着目して説明する。
【００２２】
監視時においては、表示灯７は点灯又は点滅することで、自己の状態を知らせている。
表示灯７の光は曲面部２３ａによって屈折して左右に広く拡散されるため（図７参照）、例えば送光器３及び受光器５の設置高さと同程度の高さのキャットウォーク等からの視認性にも優れる。
また、ライトガイド部２３に入光した光の一部は、傾斜面部２３ｂによって下方に反射され、さらに曲面部２３ａによって屈折して左右に広く拡散されるため（図８参照）、送光器３又は受光器５の真下に移動しなくても斜め下方からでも視認可能である。
【００２３】
以上のように、本実施の形態においては、表示灯７のライトガイド部２３が曲面部２３ａと傾斜面部２３ｂとを備えていることにより表示灯７の点灯を遠方の広い角度から視認することができ、視認性に優れている。
また、表示灯７の視認できる範囲が広範囲に及ぶため、送光器３及び受光器５を傾斜した状態で設置しても表示灯７の視認が可能であり、それ故に送光器３及び受光器５の設置姿勢が多様化でき、様々な場所に設置できるという効果も奏する。
【００２４】
なお、上記は表示灯７を、監視時において用いる場合の説明であったが、光軸調整時に用いてもよい。例えば、赤外線の受光量に応じて受光器５側の表示灯７の発光パターンを変化させることで、光軸調整状態を表示させる場合である。具体的には、光軸調整の前後において受光量が調整前よりも多くなったときには緑色を発光し、逆に受光量が少なくなったときには赤色を発光するようにしたような場合である。このような場合において、送光器の光軸調整を行う場合に、離れた位置の受光器５における表示灯７の発光を容易に確認することができ、表示灯７の見える位置に目の位置を移動させることなく光軸調整ができ、作業性に優れる。
なお、本実施の形態においては、光電式煙感知器として、送光器と受光器とが分離して設置される光電式分離型感知器１（光電式分離型煙感知器）を例に挙げて説明したが、監視空間を介して送光器から投光される光の減衰を受光器が検出して煙を感知する光電式煙感知器であれば、その他の光電式煙感知器にも本発明を適用することができる。例えば、送光器と受光器とを同一筐体に備えた感知器本体に対し、所定の監視空間を介して送光器からの光を感知器本体の受光器に反射する反射部材を配置した光電式反射型煙感知器にも本発明を適用することができる。
【符号の説明】
【００２５】
Ｌ  光軸
１  光電式分離型感知器
３  送光器
５  受光器
７  表示灯
９  ＰＣ板カバー
１１  光学台
１１ａ  送光用発光素子
１１ｂ  レンズ
１３  受光素子
１５  水平角調整用雄ネジ
１７  垂直角調整用雄ネジ
１９  カバー体
１９ａ  窓部
１９ｂ  ライトガイド部挿通孔
２１  発光素子
２３  ライトガイド部
２３ａ  曲面部２３ａ
２３ｂ  傾斜面部２３ｂ
【図１】
2015026165.tif 000003
【図２】
2015026165.tif 000004
【図３】
2015026165.tif 000005
【図７】
2015026165.tif 000006
【図８】
2015026165.tif 000007
【図４】
2015026165.tif 000008
【図５】
2015026165.tif 000009
【図６】
2015026165.tif 000010